(57)【要約】      （修正有）【課題】製品を梱包する際に使用する為の、熱可塑性樹脂フイルムを張った梱包用枠体において、一枚のダンボール材を折り曲げて簡単に組立てて構成し、重量、寸法の大きい製品や損傷しやすい電子、精密機器等の製品を収容しても、屈折、損傷する事なく収納製品を支持する梱包用緩衝支持枠体を提供する。【解決手段】外壁１の１部を切込んで、両側に嵌合切り溝６を有する溝付き折込み連結片５を設けると共に、フイルム張設穴３の外縁を折曲して外壁１と並行する四面の内壁２を構成し、内壁２の一部を切込み、嵌合切り溝６が切込み個所の内壁２の両端部に嵌入し、かつ、溝付き折込み連結片５が嵌入する嵌入凹部を形成し、又、外壁１部分の両端側に、挿込み突片を有する折込み角部支持片９を連設すると共に、この外壁１の直交位置にある外壁１’に連設した折曲底面縁部１１に、挿込み突片を挿し込む底面挿込み穴を穿設した。【選択図】図２
0003103057.tif 000002
【実用新案登録請求の範囲】
【請求項１】
四角形の中央部にあけたフイルム張設穴３を、熱融着により貼り合わせた熱可塑性ポリウレタンフイルム４で被覆し、フイルム張設穴３と間隔を設けて外周を折曲して四面の外壁１、１’を構成した緩衝支持枠体において、連結片付き外壁１の１部を切込んで、折曲個所より間隔をあけた位置の両側に嵌合切り溝６を有する溝付き折込み連結片５を設けると共に、前記フイルム張設穴３の外周を折曲して外壁１と並行する四面の内壁２、２’を構成し、嵌入凹部付き内壁２の一部を切込み、嵌入用折曲片７を設けて、前記嵌合切り溝６が切込み個所の内壁２の両端部に嵌入し、かつ、前記溝付き折込み連結片５が嵌入する嵌入凹部８を形成した事を特徴とする梱包用緩衝支持枠体。
【請求項２】
溝付き折込み連結片５の両側の連結片付き外壁１部分に、挿込み突片１０を有する折込み角部支持片９を連設すると共に、この外壁１の直交位置にある外壁１’に連設した折曲底面縁部１１に、前記折込み角部支持片９の挿込み突片１０を挿し込む底面挿込み穴１２を穿設した事を特徴とする請求項１に記載の梱包用緩衝支持枠体。
【考案の詳細な説明】
【考案の詳細な説明】
【０００１】    ［考案の属する技術分野］
本考案は、一枚の枠体用板材に熱可塑性ポリウレタンフイルムを熱融着により被覆したフイルム張設穴を設けると共に、簡単に組立てて間隔を有する外壁と内壁の二重側壁枠体に構成し、重量物や寸法の大きい製品、又は損傷し易い電子機器、精密機器等の梱包用に適応する緩衝支持枠体に関する。
【０００２】    ［従来の技術］
従来、ダンボール材を折り曲げて構成する製品梱包用の緩衝支持枠体は、図８に例示する通り、中央部にフイルム張設穴３を設け、その周囲の外側の四囲を折り曲げて外壁１を形成し、外壁１と間隔をあけた内側に内壁２を構成し、フイルム張設穴３は熱可塑性樹脂フイルム４により被覆する。
【０００３】  重なり合う枠体の角部には、内側の外壁１端部に設けた嵌入凹部８に、外側の外壁１端部に切り込んで設けた重合角部連結片１６を折り込んで嵌合する事により、外壁の角部を連結し固定していた。
【０００４】  本考案が課題とする外壁と内壁の連結については、外壁１を切り込んで設けた内壁連結片１５を折り込んで、内壁２を切り込んで設けた嵌入凹部８に嵌合する事により、外壁１と内壁２の間に間隔を保持させた状態で連結していた。
【０００５】  しかし、内壁連結片１５は、図９に拡大図示する通り、内壁側の先端が拡がる台形であるから、嵌入凹部８に嵌入した後において、内壁２が先端方向に移動するのは阻止され、内壁２からの離脱は防止できるが、矢符の通り、外壁１側には自由に移動できるため、外壁１と内壁２の設定間隔を保持する事ができず、所定の枠体強度の維持が困難となる欠点があり、特に重量物、大型物や損傷し易い電子機器、精密機器の梱包支持に危険が生じる問題があった。
【０００６】    ［考案が解決しようとする課題］
従来の梱包用緩衝支持枠体は、強度上重要な外壁と内壁が一定間隔を保持して固定されないため強度に乏しく、梱包収納物品を損傷させる危険があるので、大型及び重量大なる収納物や損傷し易い電子機器、精密機器等の梱包用支持枠体としての使用には構造的に問題があり不適であった。
【０００７】    ［課題を解決するための手段］
本考案は、従来の問題点を解決するために、外壁に設けた溝付き折込み連結片を、内壁に設けた嵌合凹部に嵌入させる事により、外壁と内壁を強固に連結して固定し、又、角部は外壁に連続する折込み角部支持片を底面側に折り込み、突設した挿込み突片を、直交する外壁に連続する折込み底面縁部の嵌入凹部に挿嵌する事により、移動中でも常に一定の間隔を保持させて枠体の強度を著しく向上し、組立て及び分解も簡単な構造である。
【０００８】  本考案は、四角形の中央部にあけたフイルム張設穴を、熱融着により貼り合わせて熱可塑性ポリウレタイフイルムにより被覆し、フイルム張設穴の外周側を折曲して四面の外壁構成する緩衝支持枠体において、外壁の１部を切込んで、両側に嵌合切り溝を有する溝付き折込み連結片５を設けると共に、前記フイルム張設穴の外縁を折曲して四面の内壁を構成し、内壁の一部を切込み、前記嵌合切り溝が切込み個所の内壁の両端部に嵌入し、かつ、前記溝付き折込み連結片が嵌入する嵌入凹部を形成する。
【０００９】  また、外壁部分の両端側に、挿込み突片を有する折込み角部支持片を連設すると共に、この外壁の直交位置にある外壁に連設した底面縁部に、前記挿込み突片を挿し込む底面挿込み穴を穿設する。
【００１０】    ［考案の実施の形態］
図１及び図２、図３に示す実施例により説明する。本考案は、四角形状のフイルム張設穴３を設け、熱融着により貼り合わせて熱可塑性ポリウレタンフイルム４で被覆し、フイルム張設穴３の四辺側を折り曲げて外壁１と１’を構成し、外壁１の１部を切込んで、折曲個所より間隔をあけた位置の両側に嵌合切り溝６を有する溝付き折込み連結片５を設けると共に、前記フイルム張設穴３の外縁を折曲して外壁１と並行する四面の内壁２と２’を構成する。
【００１１】  内壁２の一部には切込みを入れ、折れ曲がる嵌入用折曲片７を形成し、前記溝付き折込み連結片５を折り曲げた場合、溝付き折込み連結片５の嵌合切り溝６が内壁２の切込み個所の両端部に嵌入し、かつ、前記溝付き折込み連結片５が嵌入するように嵌入凹部８を形成する。
【００１２】、前記外壁１の溝付き折込み連結片５を内側に折り曲げ、前記内壁２の嵌入凹部８に嵌入して、嵌合切り溝６を内壁２の切り込み個所の端部に嵌め込む事により、外壁１と内壁２を強固に連結し固定する。
【００１３】  又、外壁１部分の両端側に、挿込み突片１０を有する折込み角部支持片９を連設すると共に、この外壁１の直交位置にある外壁１’に連設した底面縁部１１に、前記挿込み突片１０を挿し込む底面挿込み穴１２を穿設し、この底面挿込み穴１２に、前記挿込み突片１０を挿嵌する事により、枠体の角部を強固に固定し、かつ、溝付き折込み連結片５の嵌着状態を安定させる。
【００１４】    ［実施例］
図１及び図２、図３に示す実施例について説明する。四角形状の枠体材の中央部にあけたフイルム張設穴３を、熱融着により貼り合わせた熱可塑性ポリウレタンフイルム４により被覆し、フイルム張設穴３との間にフイルム周縁面１４の間隔を設けて外周を折曲し、四面の外壁１、１’を構成する。（図４の状態）
【００１５】  次に、枠体の組立て過程を示した図４及び図５、図６により枠体の構造を説明する。対向する連結片付き外壁１の１部を切込んで、溝付き折込み連結片５を設け、この溝付き折込み連結片５は、折曲個所より間隔をあけた位置の両側に嵌合切り溝６を設ける。
【００１６】  また、前記フイルム張設穴３の外周を折曲して外壁１又は１’と並行する四面の内壁２、２’を構成し、対向する嵌入凹部付き内壁２の一部を切込み、嵌入用折曲片７を設け、この嵌入用折曲片７を折り曲げた後には嵌入凹部８が形成される。この嵌入凹部８には、前記溝付き折込み連結片５が嵌入すると共に、その両端の、前記嵌合切り溝６が切込み個所の内壁２の両端部に嵌入する。（図５の状態）
【００１７】  又、溝付き折込み連結片５の両側の連結片付き外壁１部分に、挿込み突片１０を有する折込み角部支持片９を連設すると共に、この外壁１の直交位置に連設しある外壁１’に、折曲底面縁部１１を連設して底面挿込み穴１２を穿設し、前記折込み角部支持片９を底面側に折り曲げて、この底面挿込み穴１２に前記挿込み突片１０を挿嵌し、従来と同様の重合角部連結片１６とは別個に隣接の外壁端部と連結させて、角部の連結を強固にすると共に、溝付き折込み連結片５の嵌着状態を安定させる。（図６の状態）
【００１８】  図７は本考案に係る緩衝支持枠体の使用状態を示し、熱可塑性樹脂フイルム４の張設面を向かい合わせて２個重ね合わせ、２枚の熱可塑性ポリウレタンフイルム４の間に収納物１４を収容し挟持させる。従って、収納物１４は弾力特性を有する２枚の熱可塑性ポリウウレタンフイルム４により緩衝状態で支持される。
【００１９】    ［考案の効果］
本考案は、四角形の枠体板材を簡単に折り曲げて組み立てる事により、外壁と内壁を有する二重構造の強固な緩衝支持枠体を構成するものであり、外壁と内壁が設定間隔を保持して強固に連結されると共に、外壁の両端部は隣接する外壁端部と強固に連結される構造である。従って、重量物、大型物の製品や、衝撃で損傷し易い電子機器、精密機器等の梱包に用いる梱包用緩衝支持枠体として優れ、顕著な実効を有するものである。
【図面の簡単な説明】    ［図１］
本考案の実施例の平面図である。
［図２］
図１に示す実施例の底面図である。
［図３］
図１に示す実施例の断面図である。
［図４］
本考案の実施例において、枠体に組立てる過程を示し、外壁及び内壁を折り曲げた状態の部分斜視図である。
［図５］
実施例において、枠体を組立てる過程を示し、図４の状態から更に組立てて、外壁と内壁を連結し固定した状態の部分斜視図である。
［図６］
実施例において、枠体を組立てる過程を示し、図５の状態から更に組立てて、底面側に折り込んだ折込み角部支持片により外壁同志を固定した状態の部分斜視図である。
［図７］
本考案の係る緩衝支持枠体の使用状態をを示し、熱可塑性ポリウレタンフイルム面を向かい合わせて２個を重ね合わせ、梱包収納物を２枚のポリウレタンフイルムの間に収納して、ポリウレタンフイルムの特性により収納物を挟持している状態の断面図である。
［図８］
従来の梱包用緩衝支持枠体の一例を示す底面側からの斜視図である。
［図９］
図８に示す従来の緩衝支持枠体の外壁に設けた、内壁連結片の部分拡大平面図である。
［符号の説明］
１．    連結片付き外壁
１’．  外壁
２．    嵌入凹部付き内壁
２’．  内壁
３．    フイルム張設穴
４．    熱可塑性ポリウレタンフイルム
４’．  熱可塑性樹脂フイルム
５．    溝付き折込み連結片
６．    嵌合切り溝
７．    嵌入用折込み片
８．    嵌入凹部
９．    折込み角部支持片
１０．    挿込み突片
１１．    折曲底面縁部
１２．    底面挿込み穴
１３．    フイルム張設穴周縁部
１４．    収納物
１５．    内壁連結片
１６．    重合角部連結片
【図１】
0003103057.tif 000003
【図２】
0003103057.tif 000004
【図３】
0003103057.tif 000005
【図４】
0003103057.tif 000006
【図５】
0003103057.tif 000007
【図６】
0003103057.tif 000008
【図７】
0003103057.tif 000009
【図８】
0003103057.tif 000010
【図９】
0003103057.tif 000011